(57)【要約】【課題】集積場は歩道上を広く占有したり、ごみ集積場を覆うネットは、カラス等鳥獣類全てには効果を上げていないなど欠点がある。【解決手段】任意の長さ及び形を形成する蛇腹状板Ｙにより、ごみ集積場をカラス等鳥獣類の食餌行為等から防護することができ、また、前記、蛇腹状板Ｙは使用しない時のごみ集積場において、箱状収納容器Ｚに格納することが出来るごみ集積場キットを提供する。【選択図】図１
0003102136.tif 000002
【実用新案登録請求の範囲】
【請求項１】
本体の中心には、１本の主軸Ｘを有し、主軸Ｘにはそれを回転させるハンドル１がつき、その軸に垂直に巻き取られる蛇腹状板Ｙとそれを格納する箱状収納容器Ｚより構成し、前記１本の主軸Ｘの下部には蛇腹状板収載台２と箱状収納容器Ｚ底部内側に回転運動を容易にするローラー３を装着し構成し、蛇腹状板Ｙは任意の長さで展開し、支持固定部４を鍵状支持固定部装着部４’に固持し、ごみ覆い用ネット収納ケース５を取付けた構成を特徴とする収納式カラス等鳥獣撃退ごみ集積場キット。
【請求項２】
前記蛇腹状板Ｙはごみ集積場において、任意の長さ及び形を形成しごみ集積場をカラす等鳥獣から防護することができる機能を有する、請求項１記載の収納式カラス等鳥獣撃退ごみ集積場キット。
【請求項３】
前記蛇腹状板Ｙは使用しない時のごみ集積場において、それを格納することが出来る機能を有する請求項１記載の収納式カラス等鳥獣撃退ごみ集積場キット。
【考案の詳細な説明】
【技術分野】
【０００１】本考案は、ごみ集積場において、有害なカラス等鳥獣類による食餌行為による、ごみの散乱によるごみ集積場の衛生管理、環境美化を保全する収納式ごみ集積場管理用具に関するものである。
【背景技術】
【０００２】従来、家庭内から排出されるごみを、ごみ集積場に置く場合は、道路脇及び歩道上に露出状態で置くか、地面に設置されている固定型の木質製箱形及びコンクリートブロック製箱形の集積場に露出状態で置いて、そのごみ集積場を覆うネットにより維持している方法が一般的であるが、この場合、犬、猫、キツネ、カラス等の鳥獣類の食餌行為により、ごみ集積場は荒され、ごみ集積場周辺の衛生及び街の美観を損ね、歩行者や車の通行にも妨げになるなど問題がある。
【考案の開示】
【考案が解決しようとする課題】
【０００３】ごみ集積場の前述の課題を解決するため、種々の提案がなされているが、例えばごみ収容、木質製箱形及びコンクリートブロック製箱形の集積場は歩道上を広く占有したり、ごみ集積場を覆うネットは、カラス等鳥獣類全てには効果を上げていないなど欠点がある。【０００４】一方、道路及び歩道上には十分なスペースがなく、前述の、木質製箱形及びコンクリートブロック製箱形のごみ集積場及び地面に露出するごみ集積場においては、ただネットにより、ごみを覆うだけの保護に留まっている。【０００５】また、従来のごみ集積場、覆いネットは、地面に所定の形状を保って固定できないとともに、不安定であり、ネットの展開、収納が不便であり、また取扱いが手間取る欠点があり、しかもネットによる保護によっても、カラス等鳥獣類の食餌行為からごみ集積場は荒され、ごみの散乱が日常となり、ごみ収集日以外は覆いネットの収納が悪いため、景観も悪いこと及び人や車の交通の妨げになるなどの問題がある。
【課題を解決するための手段】
【０００６】前記課題を解決するため、本考案に係る収納式カラス等鳥獣撃退ごみ集積場キットの本体の中心には、１本の主軸Ｘを有し、主軸Ｘにはそれを回転させるハンドル１がつき、その主軸に垂直に巻き取られる蛇腹状板Ｙと、それを格納する箱状収納容器Ｚより構成し、前記１本の主軸Ｘの下部には蛇腹状板収載台２と、箱状収納容器Ｚ底部内側に回転運動を容易にするローラー３を装着し構成し、蛇腹状板Ｙは任意の長さで展開し、引出し取っ手４は鍵状支持固定部４’に固持し、覆い用ネット収納ケース５を取付けた構成を特徴とする。本考案において、前記蛇腹状板Ｙはごみ集積場において、任意の長さ及び形を形成しごみ集積場をカラス等鳥獣類の食餌行為等から防護することができ、また、本考案において、前記、蛇腹状板Ｙは使用しない時のごみ集積場において、箱状収納容器Ｚに格納することが出来る。
【考案の効果】
【０００７】本考案によると、蛇腹状板Ｙを格納する箱状収納容器Ｚから容易に引き出された、蛇腹状板Ｙはごみの量により、任意の長さ及び形に展開され、そこに覆いネットを被せる簡便な構成によるので、取扱いは極めて容易である。しかも、ごみ収集時は、覆いネットを取り除き、蛇腹状板Ｙは箱状収納容器Ｚに収めるため、ごみ収集作業には支障はなく、蛇腹状板Ｙが収納された状態では収納式カラス等鳥獣撃退ごみ集積場キットはほとんど場所をとらず、街の美観にも影響を与えない。
【考案を実施するための最良の形態】
【実施例】
【０００８】以下、本考案の実施形態を図を参照して説明する。図１には、本考案に係る収納式カラス等鳥獣撃退ごみ集積場キットの蛇腹状板Ｙの展開伸長時における全体斜視図が示され、図２には、蛇腹状板Ｙを収納した状態を示す斜視図が示されている。図３には、蛇腹状板Ｙが格納する箱状収納容器Ｚの分割斜視図が示され、図４には、図３の蛇腹状板収載台２と箱状収納容器Ｚ底部内側には回転運動を容易にするローラー３が装着した状態を示す拡大斜視図で示されている。【０００９】本考案の収納式カラス等鳥獣撃退ごみ集積場キットにおいて、本体の中心には、１本の主軸Ｘを有し、主軸Ｘは蛇腹状板収載台２に固定され垂直に自立し、主軸Ｘを回転させるハンドル１がつき、主軸Ｘに垂直に巻き取られる蛇腹状板Ｙとそれを格納する箱状収納容器Ｚより構成し、前記１本の主軸Ｘと一体になる蛇腹状板収載台２と箱状収納容器Ｚ底部内側には回転運動を容易にするローラー３を装着し構成し、蛇腹状板Ｙは任意の長さで伸長展開し、引出し取っ手４は鍵状支持固定部４’にて固定を目的とし、覆い用ネット収納ケース５から構成されている。さらに図２に示す蛇腹状板Ｙの収納状態から、ごみ収集日における蛇腹状板Ｙの展開方法は、箱状収納容器Ｚの側面に開放する窓の切込み部分より、蛇腹状板Ｙに附属する支持固定部４を握り、箱状収納容器Ｚから引出し、鍵状支持固定部４’に固定した状態を示すのが図１である。【００１０】また、箱状収納容器Ｚの天井上面まで１本の主軸Ｘがあり、主軸Ｘに直接繋がる回転用ハンドル１があり、主軸Ｘは、蛇腹状板収載台２に垂直に固定され、主軸Ｘの軸部には蛇腹状板Ｙの一方の端末が固定され、回転用ハンドル１を時計方向に回転することにより巻き取られ、箱状収納容器Ｚに収納されるが、その回転を容易にするため、図３に示す蛇腹状板Ｙに対し垂直に蛇腹状板Ｙガイドローラー６、平行に蛇腹状板Ｙガイドローラー７が附属し、図３に示す蛇腹状板収載台２の下部には図４に示す箱状収納容器Ｚ底部内側にはローラー３が附属する。【００１１】箱状収納容器Ｚは、露出しているごみ集積場に隣接する、壁面及び電柱などに支持固着し固定する。また、図２に示すごみ覆い用ネット収納ケース５には既存のごみ覆い用ネットを装着使用し、箱状収納容器Ｚ横上部に取付け、覆いネットの一部を固着し、使用時は容易に展開することができ、覆いネット未使用時の紛失、散乱を防いでいる。
【産業上の利用可能性】
【００１２】本考案における、収納式カラス等鳥獣撃退ごみ集積場キットは、主婦及び高齢の人でも容易に取扱え、ごみ集積場におけるカラス等鳥獣類の撃退効果とごみ集積場周辺の衛生、環境美化の効果を期待でき、しかも、収納式カラス等鳥獣撃退ごみ集積場キットは構造がシンプルであるため、風雪雨や過酷な条件下でも耐久性があり、安価なコストにより設置実現できる。
【図面の簡単な説明】
【００１３】
【図１】収納式カラス等鳥獣撃退ごみ集積場キットの蛇腹状板の展開伸長時における全体斜視図である。
【図２】同じく収納式カラス等鳥獣撃退ごみ集積場キットの蛇腹状板収納時の斜視図である。
【図３】蛇腹状板を格納する箱状収納容器の分割斜視図である。
【図４】図３の蛇腹状板収載台示す拡大斜視図である。
【符号の説明】
【００１４】１    主軸巻取用ハンドル
２    蛇腹状板収載台
３    蛇腹状板収載台ローラー
４    引出し取っ手
４’  鍵状支持固定部
５    覆い用ネット収納ケース
６    蛇腹状板ガイドローラー
７    蛇腹状板ガイドローラー
Ｘ    主軸
Ｙ    蛇腹状板
Ｚ    箱状収納容器
【図１】
0003102136.tif 000003
【図２】
0003102136.tif 000004
【図３】
0003102136.tif 000005
【図４】
0003102136.tif 000006